(57)【要約】【課題】番組予約を容易に確認することができ、もって番組予約ミスを防ぐこと。【解決手段】予約設定画面にアナログ時計を表示し、予約済みのレコーディング情報（例えばチャンネルナンバー）を、表示されたアナログ時計の対応する時刻位置に重畳表示する。アナログ時計における短針は、予約時刻インジケータとしてレコーディング予約時刻を指示し、また、例えば午前／午後の区別はアナログ時計の時計盤の表示色または背景色によってなされる。【選択図】  図３
2004235888.tif 000002
【特許請求の範囲】
【請求項１】
ユーザの指示に従いレコーディング動作の予約設定を行う予約装置であって、
アナログ時計表示する時計表示手段と、
予約済みのレコーディング情報を、表示されたアナログ時計の、対応する時刻位置に重畳表示する予約情報表示手段と、
を有することを特徴とする予約装置。
【請求項２】
前記アナログ時計における短針を所望の時刻位置に動かすことで、その時刻をレコーディング動作時刻として設定する設定手段を更に有することを特徴とする請求項１に記載の予約装置。
【請求項３】
前記時計表示手段は、予約済みのレコーディング動作時刻が午前か午後かに応じて時計盤の表示色を変化させることを特徴とする請求項１または２に記載の予約装置。
【請求項４】
前記予約情報表示手段は、レコーディング情報の内容に応じて、そのレコーディング情報の表示色を変化させることを特徴とする請求項１から３までのいずれかに記載の予約装置。
【請求項５】
前記レコーディング情報は、受信チャンネル番号、番組のジャンルの少なくともいずれかを含むことを特徴とする請求項１から４までのいずれかに記載の予約装置。
【請求項６】
さらに、
所定日数をカレンダー表示する手段と、
前記時計表示手段および予約情報表示手段によって生成された予約情報付きのアナログ時計を、表示されたカレンダーの対応する日付位置に重畳表示する手段と、
を有することを特徴とする請求項１から５までのいずれかに記載の予約装置。
【請求項７】
請求項１から６までのいずれかに記載の予約装置を含むＶＴＲ装置。
【請求項８】
ユーザの指示に従いレコーディング動作の予約設定を行う予約装置の制御方法であって、
アナログ時計表示する時計表示ステップと、
予約済みのレコーディング情報を、表示されたアナログ時計の、対応する時刻位置に重畳表示する予約情報表示ステップと、
を有することを特徴とする予約装置の制御方法。
【請求項９】
ユーザの指示に従いレコーディング動作の予約設定を行う予約装置を制御するためのプログラムであって、
アナログ時計表示する時計表示ステップ、
予約済みのレコーディング情報を、表示されたアナログ時計の、対応する時刻位置に重畳表示する予約情報表示ステップ、
を実行させるプログラム。
【発明の詳細な説明】
【０００１】
【発明の属する技術分野】
本発明は、ＶＴＲ装置などにおいて番組録画予約を行なうための、予約装置およびその制御方法に関する。
【０００２】
【従来の技術】
テレビ番組を予約する方法は２つある。１つはＶＴＲ装置などによる録画予約であり、もう１つはテレビジョン受信機（以下、単に「テレビ」という。）のオンタイマー予約である。
【０００３】
ＶＴＲ装置などの録画予約の場合、その設定方法はメーカーにより様々な手法がとられているが、メインとなるのは録画開始時刻と終了時刻を設定する手法である。このときの時刻設定ミスを防ぐ方法が例えば後掲の特許文献１、２に開示されている。これらの文献には設定時刻をアナログ時計で表示する手法が開示されている。これにより、設定時刻を見やすくする工夫がなされている。
【０００４】
また、オンタイマー予約とは、ユーザーによって設定された時刻になると自動的に設定されたチャンネルを表示する機能である。このときにテレビの電源がスリープ状態（メイン電源は入っているがテレビの表示や音声はオフになっている状態）の場合は自動的に電源をオンにし、設定されたチャンネルを表示する。
【０００５】
オンタイマー予約の場合は、一般には時刻設定は現在時刻に対して何時間先、というように時間幅で設定される。これはテレビが時計機能を内蔵していないためである。テレビでは決められた時間をカウントする減算タイマーのみが内蔵されている場合が多い。
【０００６】
ＶＴＲ録画予約の場合もオンタイマー予約の場合も、その設定内容はオンスクリーンディスプレイ（以下、ＯＳＤ）と呼ばれるキャラクタ表示によりテレビ画面上に表示される。
【０００７】
【特許文献１】
特開平６−２１７２１９号公報
【特許文献２】
特開平７−１９３７５９号公報
【０００８】
【発明が解決しようとする課題】
しかしながら、上記の特許文献１，２などには設定時刻を見やすくする工夫は開示されているが、設定内容そのものを見やすくする工夫は開示されていない。ＯＳＤにより表示される設定内容は設定時刻とチャンネルナンバーである。ユーザーは予約設定や予約内容を確認する場合に設定時刻とチャンネルナンバーを別々に認識しなければならず、予約ミスを引き起こす原因となっていた。
【０００９】
特に複数の予約がある場合、これらの予約情報がリスト表示されるだけでは視認性が悪く、予約確認にも手間がかかってしまっていた。
【００１０】
さらにはディジタル放送なると番組情報を取得することも可能である。しかし、従来のリスト型の予約内容表示では番組内容まで表示しようとすると画面表示が煩雑になりわかりにくくなってしまう。
【００１１】
そこで、本発明は、番組予約を容易に確認することができ、もって番組予約ミスを防ぐことを目的とする。
【００１２】
【課題を解決するための手段】
本発明の一側面によれば、ユーザの指示に従いレコーディング動作の予約設定を行う予約装置であって、アナログ時計表示する時計表示手段と、予約済みのレコーディング情報を、表示されたアナログ時計の、対応する時刻位置に重畳表示する予約情報表示手段とを有することを特徴とする予約装置が提供される。
【００１３】
【発明の実施の形態】
以下、図面を参照して本発明の好適な実施形態について詳細に説明する。
【００１４】
（実施形態１）
図１は、本実施形態における録画予約装置の構成を示すブロック図である。この録画予約装置は、受信したテレビジョン放送を録画するもので、その録画予約を行うことができる。
【００１５】
なお、この録画予約装置は本発明が適用されるものの一例にすぎず、本発明は例えばラジオ放送を「録音」する録音装置などにも適用することができる。つまり、本発明は、録画および録音などを含むレコーディング一般を行う装置に適用することができるが、以下の実施形態ではレコーディングの一態様として「録画」に対する予約装置を例に説明する。
【００１６】
１０１はリモートコントローラ（リモコン）、１０２は受光装置、１０３は予約制御装置、１０４はチューナー、１０５はアイコン生成装置、１０６はデコーダー、１０７は表示制御装置、１０８は表示装置、１０９はアンテナ、を表している。
【００１７】
リモコン１０１はユーザーの指示を光データに変換して受光装置１０２に送信する。
【００１８】
受光装置１０２は光データを電気信号に変換して予約制御装置１０３に送る。
【００１９】
予約制御装置１０３はユーザーの指示に従って、チューナー１０４に選局命令を出す。このとき、ユーザーの指示が番組予約であった場合、設定時刻、チャンネル等の予約情報をアイコン生成装置１０５に送る。また、設定時刻を計測し、設定されている時刻になったらチューナー１０４に選局命令を出す。
【００２０】
アイコン生成装置１０５は予約情報をアイコン化し、表示制御装置１０７に送る。
【００２１】
チューナー１０４は選局命令に従ってチューニングを行い、アンテナ１０９から放送波を受信する。受信データはデコーダー１０６に送られる。
【００２２】
デコーダー１０６は受信データをデコードし、表示制御装置１０７に送る。
【００２３】
表示制御装置１０７は表示モードに従って、表示画面を構成し表示装置１０８に表示データを送る。表示モードが通常の視聴モードである場合はデコーダー１０６からの受信データをそのまま表示する。表示モードが予約設定モードの場合はアイコン生成装置１０５のアイコンを元に表示データを生成する。
【００２４】
表示装置１０８は表示制御装置１０７から送られてくる表示データを表示する。
【００２５】
図２は予約設定画面の一例を示す図である。
【００２６】
２０１は予約時刻インジケータ、２０２は日付インジケータ、２０３は現在時刻インジケータ、２０４はアイコン、を表している。
【００２７】
予約時刻インジケータ２０１はアナログ時計の短針に対応するもので、図２では「１２時」を指示している。
【００２８】
日付インジケータ２０２は予約録画を行なう日付を表している。また、アナログ時計型の表記では通常１２時間しか表現ができないので午前か午後かの指示も日付インジケータ２０２で行なう。図２では、日付インジケータ２０２は「９月１１日（水）午前」を指示している。
【００２９】
現在時刻インジケータ２０３は現在の日付と時刻を指示している。
【００３０】
アイコン２０４はアイコン生成装置１０５によって生成されたアイコンである。アイコン２０２は１２個生成され、アナログ時計の各時刻の数字の部分に対応して配置される。図２では何も予約が行なわれていないのでアイコン２０４は１２個すべて空白のアイコンで表示されている。
【００３１】
つまり、図２では現在時刻は「９月１１日（水）午後７時００分」であり、番組予約のインジケータは「９月１１日（水）午前１２時」を指示している画面を表している。
【００３２】
図３は、既に予約が入っているときの予約設定画面の一例を示す図である。
【００３３】
図３において、予約時刻インジケータ２０１は７時を指しており、日付インジケータ２０２は「９月１１日（水）の午後」を表示していることから、予約により録画を開始する時刻（予約時刻）が「９月１１日（水）午後７時」であることがわかる。ここでは、日付インジケータ２０２により指示される「午前」か「午後」かに応じて時計盤の表示色を変化させて視認性を高めている。
【００３４】
３０５は予約済みアイコンで、すでに予約が完了した状態を表している。予約が完了したアイコンは予め設定された色に変化する。これにより、その時刻に予約があるかないかが一目で判断することができる。また、予約済アイコンには予約録画に係るチューナーのチャンネル番号が表示されている。これにより、予約済みアイコン３０５は、「９月１１日（水）午後７時から１時間、８チャンネル」の予約が行なわれていることを表している。このように、アイコンを見るだけでどのチャンネルが予約されたかも判別できるようになっている。
【００３５】
また、３０６、３０７の予約済みアイコンも同様に予約が完了した状態を表している。予約済みアイコン３０６、３０７はそれぞれ１２時と１時の位置にあり、隣りあった２つの時間帯に同じチャンネルが予約されている。これは２時間の予約が設定されていることを表している。よって予約済みアイコン３０６、３０７は「９月１１日（水）午後１２時から２時間、３チャンネル」の予約が行なわれていることを表している。
【００３６】
図４は、別の予約状態を表す予約設定画面の一例を示す図である。
【００３７】
予約済みアイコン４０１は「午後７時に８チャンネル」の予約を表しており、予約済みアイコン４０２は「午後１２時に３チャンネル」の予約を表している。本実施形態では、図４に示すようにチャンネル毎に予約確認の色を変えることも可能である。このときの色設定は予めユーザーにより設定が可能である。
【００３８】
また、予約済みアイコン４０３は図示のように上下２層に分かれており、上下に別々の数字が書き込まれている。これは「午後１時から午後１時３０分までは１０チャンネル」と、「午後１時３０分から午後２時までは４チャンネル」の２種類の予約状況を表している。このように、アイコンを層構成にすることにより３０分単位や１５分単位などの予約も可能になる。
【００３９】
図５は、リモコン１０１の一例を示す図である。
【００４０】
５０１は発光部、５０２は数字キー、５０３は方向キー、５０４はダイヤル、５０５は回転キー、５０６は予約画面キー、５０７は決定キー、を表している。
【００４１】
発光部５０１はユーザー操作によるリモコン１０１の指示内容を光データとして受光装置１０２に送信する。
【００４２】
数字キー５０２は主にチャネル選択に用いられる。また、予約設定画面では予約時刻の選択キーとして直接時刻を入力する手段として用いてもよい。
【００４３】
方向キー５０３は主に音声ボリュームの調整やチャンネルの選択に用いられる。また、予約設定画面ではカーソルの移動や、予約時刻の選択キーとして用いてもよい。
【００４４】
ダイヤル５０４は予約設定画面での予約時刻の選択ダイヤルとして用いられる。このダイヤルを回すことにより図２、図３で説明した予約設定画面の予約時刻インジケータ２０１が時計の短針のように回転し、所望の時刻を選択することができる。
【００４５】
回転キー５０５は予約設定画面での予約時刻の選択キーとして用いられる。このキーを押すことにより図２、図３で説明した予約設定画面の予約時刻インジケータ２０１が時計の短針のように回転し、所望の時刻を選択することができる。左側のキーを押せば左回り、右側のキーを押せば右回りする。
【００４６】
これらのキーのいずれかひとつ、もしくは複数の手段によって予約設定画面での操作を実現できる。
【００４７】
予約画面キー５０６は表示モードの切替えを行なう。視聴モードのときは受信番組を表示し（番組視聴画面）、予約設定モードのときは予約設定画面を表示する。このキーを押す毎に番組視聴画面と予約設定画面が切り替わる。
【００４８】
決定キー５０７は予約設定画面での設定の決定を行なう。上記５０１〜５０５のキーおよびダイヤルによって時刻選択やチャンネル選択を行なった後にこの決定キー５０７を押すことにより選択された時刻やチャンネルが決定される。
【００４９】
実際に予約を行なうときの操作画面例を図６、図７に示す。
【００５０】
まず、テレビ放送を視聴している番組視聴画面から予約画面キー５０６を押下すると図２のような予約設定画面に切り替わる。
【００５１】
ここで、リモコン１０１により時刻インジケータ２０１、および日付インジケータ２０２を操作し、番組予約を行ないたい所望の日時を表示させる。
【００５２】
いま、図６に示すように「９月１１日（水）の午後９時」に予約を行ないたいとする。ここで、９時１５分や９時３０分などの９時台の予約についても同様に９時のところに予約時刻インジケータを合わせる。
【００５３】
ここで決定キー５０７を押下すると図７のような画面になり、予約ウィンドウ７０が開かれる。この予約ウィンドウ７０により細かい時刻設定やチャンネル設定を行なう。このとき、ディジタル放送などのように番組情報が取得できる場合は番組内容も予約ウィンドウ内に表示可能である。また、予約ウィンドウの大きさや表示位置は予めユーザーにより設定可能であるとする。設定によっては全画面表示も可能である。
【００５４】
以上説明した実施形態１によれば、予約時刻インジケータ２０２がアナログ時計の針に相当して予約時刻を指し示すとともに、そのアナログ時計における予約時刻の位置に、予約済みのレコーディング情報（例えばチャンネルナンバー）が表示される。これにより、ユーザーは予約時刻とその予約に関する他の情報を一目瞭然に確認できるようになる。
【００５５】
（実施形態２）
本実施形態では時計機能を内蔵しない場合の予約設定画面例について説明する。
【００５６】
図８は、本実施形態における予約設定画面の一例を示す図である。
【００５７】
この例では時計機能を内蔵していないので減算タイマーによるオンタイマー予約のみが可能になる。オンタイマー予約の場合、アナログ時計の１２時の方向が起点となる。１２時の位置のアイコン８１は現在チューナーが受信しているチャンネルナンバーを表している。また、１時の位置のアイコン８２は現在時刻から１時間後の予約内容（チャンネルナンバー）を表し、２時の位置のアイコン８３は現在時刻から２時間後の予約内容（チャンネルナンバー）を表している。同様に、３時の位置のアイコン８４は現在時刻から３時間後の予約内容（チャンネルナンバー）を表し、４時の位置のアイコン８５は現在時刻から２時間後の予約内容（チャンネルナンバー）を表している。
【００５８】
つまり図８では、「現在は７チャンネルを受信中で、１時間後に３チャンネルを予約、２時間後に１０チャンネルを予約、３時間後に６チャンネルを予約、４時間後に１２チャンネルを予約」している画面を表している。このとき、予約が行なわれている時間帯は色分けされて、どの時間帯が予約されているか一目でわかるようになっている。また、予約済みアイコンは予約されたチャンネル毎に色分けされて視認性を向上させている。この予約設定画面で１１時間先の番組まで予約可能である。
【００５９】
図９は、図８に示した予約状態の時点から１時間後の予約設定画面を示す図である。
【００６０】
１時間経過し、現在の受信チャンネル（７チャンネル）が、予約されていた３チャンネルになっている。これに伴って順次予約されていた時間が１時間分、起点方向（１２時の位置）にずれている。
【００６１】
このように本実施形態のような予約設定画面表示により、オンタイマー予約の場合も何時間後にどのチャンネルが予約されているかを表現することが可能である。
【００６２】
（実施形態３）
本実施形態では、複数のチューナーを備えている場合、およびデジタル放送などにより番組情報を取得できる場合について説明する。
【００６３】
図１０は、本実施形態における録画予約装置の構成を示すブロック図である。図１０において、実施形態１で示した図１の録画予約装置と同様の構成要素には同じ参照符号を付してそれらの説明は省略し、以下では異なる構成部分について説明する。
【００６４】
図１０に示した録画予約装置は、予約制御装置１０３に接続された第１および第２のチューナー１０４ａ、１０４ｂを有し、それぞれ第１および第２のデコーダー１０６ａ、１０６ｂに接続されている。第１および第２のデコーダー１０６ａ、１０６ｂの出力は共にアイコン生成装置１０５および切替え装置１１０に接続されている。また、この切替え装置１１０には第１および第２の録画装置１１１，１１２が接続されており、切替え装置１１０の出力は表示制御装置１０７に接続される。
【００６５】
第１のチューナー１０４ａは選局命令に従ってチューニングを行い、アンテナ１０９から放送波を受信する。受信データは第１のデコーダー１０６ａに送られる。
【００６６】
第２のチューナー１０４ｂも同様に、選局命令に従ってチューニングを行い、アンテナ１０９から放送波を受信する。受信データは第２のデコーダー１０６ｂに送られる。
【００６７】
第１および第２のデコーダー１０６ａ、１０６ｂはそれぞれ、入力された受信データをデコードし、切替え装置１１０に送る。また、番組情報を取得した場合はアイコン生成装置１０５に送る。
【００６８】
アイコン生成装置１０５は予約情報をアイコン化する。このとき、第１のデコーダー１０６ａまたは第２のデコーダー１０６ｂから番組情報が取得されている場合は番組情報と予約情報とを組み合わせてアイコン化する。こうして生成されたアイコンは表示制御装置１０７に送られる。
【００６９】
切替え装置１１０はリモコン１０１によるユーザーの指示に従って第１および第２のデコーダー１０６ａ、１０６ｂからの受信データを表示制御装置１０８、第１の録画装置（例えばＶＴＲ装置）１１１、第２の録画装置（例えばハードディスク録画装置）１１２のいずれかに切り替えて出力する。本実施形態ではチューナーと録画装置をそれぞれ２つ備えているので、切替え装置１１０の切り替え動作によっていくつかの切替えパターン実現できる。
【００７０】
切替え装置１１０による切り替えパターンの例を図１１に示す。
【００７１】
例１は、第１のチューナー１０４ａの受信データを表示制御装置１０７を介して表示装置１０８に出力する一方、第２のチューナー１０４ｂの受信データを第１の録画装置１１１に出力するよう切り替え制御することを示している。
【００７２】
例２は、第１のチューナー１０４ａの受信データを第１の録画装置１１１に出力する一方、第２の録画装置１１２の録画データを表示制御装置１０７を介して表示装置１０８に出力するよう切り替え制御することを示している。
【００７３】
また、例３は、第１のチューナー１０４ａの受信データを第１の録画装置１１１に出力する一方、第２のチューナー１０４ｂの受信データを第２の録画装置１１２に出力するとともに表示制御装置１０７を介して表示装置１０８に出力するよう切り替え制御することを示している。
【００７４】
以上挙げた例の他にも様々な組み合わせが考えられる。
【００７５】
表示制御装置１０１２は表示モードにしたがって表示画面を構成し表示装置１０１３に表示データを送る。表示モードが通常の視聴モードである場合は切替え装置１００９からの受信データをそのまま表示する。表示モードが予約設定モードの場合はアイコン生成装置１００４のアイコンを元に表示データを生成する。
【００７６】
表示装置１０１３は表示制御装置１０１２から送られてくる表示データを表示する。
【００７７】
図１２は、本実施形態における予約設定画面の一例を示す図である。
【００７８】
１２０１は予約時刻インジケータ、１２０２は日付インジケータ、１２０３現在時刻インジケータは、１２０４はチューナーインジケータ、１２０５は第１の録画装置アイコン、１２０６は第２の録画装置アイコン、１２０７は予約済みアイコン、１２０８は予約済みアイコン、を表している。
【００７９】
予約時刻インジケータ１２０１はアナログ時計の短針を表し、図１２では「９時」を指示している。
【００８０】
日付インジケータ１２０２は予約を行なう日付を表している。図１２では日付インジケータは「９月１１日（水）午前」を指示している。
【００８１】
現在時刻インジケータ１２０３は現在の日付と時刻を指示している。図１２では「９月１１日（水）午前７時０１分」を指示している。
【００８２】
チューナーインジケータ１２０４は現在選択されているチューナーを示している。図１２では「チューナー１」と表示され、第１のチューナー１０４ａが選択されていることを表している。
【００８３】
第１の録画装置アイコン１２０５および第２の録画装置アイコン１２０６は録画装置の種類を表している。図１２では第１の録画装置アイコン１２０５はＶＴＲ装置１１１を表し、第２の録画装置アイコン１２０６はハードディスク録画装置１１２を表している。これらのアイコンは予め設定されていて録画装置を接続した時にユーザーがアイコンを選択可能であるものとする。また、機器の接続がＩＥＥＥ１３９４などの機器情報をやりとり可能なインターフェイスにより行なわれた場合は自動でアイコンを選択するという構成も可能である。
【００８４】
予約済みアイコン１２０７はアイコン生成装置１０５によって生成されたアイコンである。アイコン生成装置１０５は予約制御装置１０３の予約情報と第１のデコーダー１０６ａもしくは第２のデコーダー１０６ｂからの番組情報から予約済みアイコン１２０７を生成する。図１２では予約済みアイコン１２０７は「午後７時に８チャンネルの予約、ジャンルはニュース（ｎｅｗｓ）」という情報を表している。ここで、アイコン生成装置１０５は番組情報から予約された番組のジャンルを読み取ってアイコンを生成している。図１２ではジャンルを文字情報で表しているが、予めユーザーにより選択可能なキャラクタ情報で表すことも可能である。
【００８５】
予約済みアイコン１２０８、１２０９も同様にアイコン生成装置１０５により生成されたアイコンである。図１２では予約済みアイコン１２０８、１２０９は「午後１２時から午後１時に３チャンネルの予約、ジャンルはドラマ（ｄｒａｍａ）」という情報を表している。
【００８６】
図１３は、本実施形態における別の態様による予約設定画面の一例を示す図である。
【００８７】
図１３では、図１２に示した予約設定画面の時点から約８時間を経過した後の画面を表している。つまり図１２の時点で録画予約されていた予約済みアイコン１２０８の予約が実行された後の画面である。現在時刻インジケータは図１２の時点の「午前７時０１分」から図１３では「午後３時０１分」と８時間が経過している。それに伴い、予約済みアイコン１２０８、１２０９はそれぞれ、録画済みアイコン１３０８、１３０９に変化している。この録画済みアイコン１３０８、１３０９もアイコン生成装置１０５により生成される。ここで、録画済みアイコン１３０８、１３０９は「録画済み」などの文字情報で表してもよいし、予め登録されているキャラクタ情報で表してもよい。さらに録画を行なった機器がハードディスク録画装置などのランダムスキャンが可能な機器の場合は、番組の冒頭の数秒を動画アイコンとして生成することも可能である。
【００８８】
（実施形態４）
本実施形態は、１週間単位、１カ月単位で予約内容を一覧できるようにしたものである。さらに、予約確認と放送の視聴を同時に行えるような構成についても開示する。
【００８９】
図１４は、本実施形態における録画予約装置の構成を示すブロック図である。図１４において、実施形態１で示した図１の録画予約装置と同様の構成要素には同じ参照符号を付してそれらの説明は省略し、以下では異なる構成部分について説明する。
【００９０】
図１４に示した録画予約装置は、表示制御装置１０７と表示装置１０８との間に設けられた予約確認画面生成装置、デコーダー１０６と表示制御装置１０７との間に設けられたスケーリング装置１１１を有する。
【００９１】
デコーダー１０６は受信データをデコードし、画像データとしてスケーリング装置１１１へ送る。スケーリング装置１１１はユーザー指示による表示モードに従って画像データの拡大縮小を行い、表示制御装置１０７に送る。
【００９２】
表示制御装置１０７はユーザー指示による表示モードにしたがって表示画面を構成し、予約確認画面生成装置１１０へ送る。表示モードが通常の視聴モードである場合はスケーリング装置１１１からの画像データをそのまま表示する。表示モードが予約設定モードの場合はアイコン生成装置１０５のアイコンを元に表示データを生成する。
【００９３】
予約確認画面生成装置１１０は表示制御装置１０７の表示データを基に、１カ月分の予約確認画面と、１週間分の予約確認画面とを生成する。ユーザから予約確認画面表示の指示があった場合はここで生成された予約確認画面を表示装置１１８へ送る。予約確認画面表示の指示がない場合は表示制御装置１０７から送られてきた表示データをそのまま表示装置１０８へ送る。
【００９４】
図１５は、１カ月分の予約確認画面の一例を示す図である。
【００９５】
この予約確認画面は１カ月のマス目状のカレンダーで構成され、予約が入っている日の位置に図３などに示した予約設定画面の縮小画像が表示される。図１５は、９月１０日（水）に番組予約が行われていることを表している。この部分の表示によれば、９月１０日の予約状況は「午後１２時、午後１時、午後７時」に予約があることがわかる。午前か午後かは時計盤またはマス目の表示色によって判別が可能である。
【００９６】
ただし、縮小簡略化した表示なのでどのチャンネルが予約されているかまでは判らない。そこで、予約内容の詳細を確認したい場合はユーザーがリモコン操作により図１５に示すカーソル位置を移動させて決定することにより、その日付の予約設定画面に表示が切り替わる。
【００９７】
図１６は、１週間分の予約確認画面の一例を示す図である。
【００９８】
図１６では、９月１０日（水）に番組予約が行われていることを表している。このとき、９月１０日を表す部分には、図３のような予約設定画面を基に、予約確認画面生成装置１１５により作成されたアイコンが表示される。このアイコンは予約設定画面を縮小簡略化したものである。図１６の場合、９月１０日の予約状況は「午後１２時、午後１時、午後７時」に予約があることがわかる。午前か午後かは時計盤またはマス目の表示色によって判別が可能である。
【００９９】
また、このアイコンは図１５に示した１カ月分の予約画面表示時より大きく表示されるため、予約されたチャンネルの区別も予めユーザーによって設定されたチャンネル毎の色区別で行なわれる。ただし、縮小簡略化した表示なのでチャンネル番号やジャンル表示までは行われない。さらに予約内容の詳細を確認したい場合はユーザーがリモコン操作により図１６に示すカーソル位置を移動させて決定することにより、その日付の予約設定画面に表示が切り替わる。
【０１００】
図１７は、１週間分の予約確認画面の別の場面を示す図である。
【０１０１】
図１７では、９月８日（月）と９月１０日（水）に番組予約が行われていることが表されている。番組予約が行われている日の午前と午後の両方に予約が行われている場合は、９月８日の部分の表示のように、午前のアイコンと午後のアイコンの２つが重なったように表示される。この場合、図１６の場合と同様にリモコン操作によりカーソルを該当日に移動させてアイコン切替えを意味するキー操作を行うことにより、午前と午後のアイコンを切替えて表示することが可能となる。
【０１０２】
また、これらの予約確認画面は予約内容の確認時だけでなく、予約設定を行う場合の予約設定画面へのアプローチ手段としても有効である。
【０１０３】
（実施形態５）
図１８は、番組視聴と予約確認が同時に行える画面構成例を表している。
【０１０４】
同図中、７０１は視聴ウィンドウ、７０２は現在時刻アイコン、７０３は録画済みアイコン、７０４は予約済みアイコン、を表している。
【０１０５】
視聴ウィンドウ７０１は現在放送されている番組を表示する。また、この視聴ウィンドウ７０１にはすでに録画済の番組を映し出すことも可能である。
【０１０６】
現在時刻アイコン７０２は現在の時刻を表している。視聴ウィンドウ７０１のまわりを囲むように１２個のアイコンが並び、このアイコンがアナログ時計の文字盤の代わりを果たしている。そして、現在時刻に該当する部分のアイコンは図示のようにアイコン形状が変化し、そのアイコンの指し示す時刻が現在時刻であることを知らせている。図１８の例では、現在時刻アイコンは「７時」を表している。
【０１０７】
また、視聴ウィンドウ７０１で視聴している番組が現在放送されている番組である場合はそのチャンネル番号が現在時刻アイコン７０２に表示される。さらに、現在時刻アイコン７０２は、予めユーザーによって設定されたチャンネル毎の色で表示される。
【０１０８】
また、視聴ウィンドウ７０１で視聴している番組が録画済番組である場合には、チャンネル番号の変わりに『Ｖｉｄｅｏ』などの表示を行なうことも可能である。
【０１０９】
録画済みアイコン７０３は、録画が終了している状態を表すアイコンである。図１８の例では、「３時」に予約されていた番組録画が終了していることが表されている。録画済みアイコン７０３には、番組中から抜き出した１シーンが縮小表示されている。この抜き出すシーンはユーザーによって予め設定可能であるとする。
【０１１０】
予約済みアイコン７０４は番組予約が行われている状態を表すアイコンである。時刻をアイコンの配置位置で表し、予約チャンネルをアイコン中の数字と表示色で表している。図１８の例では「１０時に８チャンネル」の予約が行われている状態が表わされている。
【０１１１】
（実施形態６）
図１９は、インデックス表示モードの画面構成例を示す図である。このモードはハードディスクなどのランダムアクセスが可能な記憶装置に録画を行った場合に使用可能となるモードである。
【０１１２】
８０１〜８１２はインデックスアイコン、８１３はモード表示ウィンドウ、８１４は時刻インジケータ、を表している。
【０１１３】
インデックスアイコン８０１〜８１２は録画済みの番組から１シーンを抜き出してスケーリング装置１１１により画像の縮小を行い、表示制御装置１０７によってアイコン化したものである。それぞれのアイコンの配置はアナログ時計の文字盤に対応しており、この１画面で１時間分の番組のインデックスを表示することができる。
【０１１４】
インデックスアイコン８０１は録画した番組のスタート時の画像である。インデックスアイコン８０２はインデックスアイコン８０１の画像から５分後の画像、インデックスアイコン８０３はインデックスアイコン８０２の画像から５分後の画像、を表しており、以下、順に５分刻みでインデックスアイコンを作成する。
【０１１５】
モード表示ウィンドウ８１３は現在の表示モードを表している。図１９の例はインデックス表示モードを表しているので、モード表示ウィンドウには「インデックス表示」と示されている。
【０１１６】
時刻インジケータ８１４はアナログ時計の針のように回転し、時計の長針の如く１回転で１時間を表している。ユーザーからのリモコン操作により時刻インジケータ８１４が回転し、ユーザー所望の時刻のインデックスアイコンを指し示したところで決定操作を行なうと、全画面表示になり、そのインデックスアイコンの画像から録画再生を行なう。
【０１１７】
図１９では時刻インジケータ８１４が３０分経過後の位置を指し示しているので、この時点で決定操作を行なうと、インデックスアイコン８０７以降の画像が全画面で録画再生が行なわれる。
【０１１８】
このように、放送番組や録画番組を見ながらの番組予約操作も簡易に行なえるようになる。
【０１１９】
以上、説明してきたように本発明によれば録画予約、オンタイマー予約にかかわらず、複数の番組予約情報を容易に確認することが可能である。これにより、従来、人為的ミスにより発生していた番組予約ミスを未然に防ぐことが可能となる。
【０１２０】
（他の実施形態）
以上、本発明の実施形態を詳述したが、本発明は、例えばシステム、装置、方法、プログラムもしくは記憶媒体等としての実施態様をとることが可能である。
【０１２１】
また、上述の実施形態は録画予約装置について説明したが、本発明は、複数の機器から構成されるシステム（例えば、テレビジョン受像機と録画予約装置とで構成されるシステム）に適用してもよいし、また、一つの機器からなる装置（例えば、上述の録画予約装置を含むＶＴＲ装置）に適用してもよい。
【０１２２】
なお、本発明は、前述した実施形態の機能を実現するソフトウェアのプログラムを、システムあるいは装置に直接あるいは遠隔から供給し、そのシステムあるいは装置のコンピュータがその供給されたプログラムコードを読み出して実行することによっても達成される場合を含む。その場合、プログラムの機能を有していれば、その形態はプログラムである必要はない。
【０１２３】
従って、本発明の機能処理をコンピュータで実現するために、そのコンピュータにインストールされるプログラムコード自体も本発明を実現するものである。つまり、本発明の特許請求の範囲には、本発明の機能処理を実現するためのコンピュータプログラム自体も含まれる。
【０１２４】
その場合、プログラムの機能を有していれば、オブジェクトコード、インタプリタにより実行されるプログラム、ＯＳに供給するスクリプトデータ等、プログラムの形態を問わない。
【０１２５】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１２６】
その他、プログラムの供給方法としては、クライアントコンピュータのブラウザを用いてインターネットのホームページに接続し、そのホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【０１２７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１２８】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【０１２９】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【０１３０】
【発明の効果】
本発明によれば、番組予約を容易に確認することができ、もって番組予約ミスを防ぐことができる。
【図面の簡単な説明】
【図１】実施形態１における録画予約装置の構成を示すブロック図である。
【図２】予約設定画面の一例を示す図である。
【図３】既に予約が入っているときの予約設定画面の一例を示す図である。
【図４】別の予約状態を表す予約設定画面の一例を示す図である。
【図５】実施形態におけるリモコンの一例を示す図である。
【図６】予約を行なうときの操作画面例を示す図である。
【図７】予約を行うときの操作画面例を示す図である。
【図８】実施形態２における予約設定画面の一例を示す図である。
【図９】図８に示した予約状態の時点から１時間後の予約設定画面を示す図である。
【図１０】実施形態３における録画予約装置の構成を示すブロック図である。
【図１１】実施形態３における切替え装置による切り替えパターンの例を示す図である。
【図１２】実施形態３における予約設定画面の一例を示す図である。
【図１３】実施形態３における別の態様による予約設定画面の一例を示す図である。
【図１４】実施形態４における録画予約装置の構成を示すブロック図である。
【図１５】実施形態４における１カ月分の予約確認画面の一例を示す図である。
【図１６】実施形態４における１週間分の予約確認画面の一例を示す図である。
【図１７】実施形態４における１週間分の予約確認画面の別の場面を示す図である。
【図１８】実施形態５における番組視聴と予約確認が同時に行える画面構成例を示す図である。
【図１９】実施形態６におけるインデックス表示モードの画面構成例を示す図である。
【図１】
2004235888.tif 000003
【図２】
2004235888.tif 000004
【図３】
2004235888.tif 000005
【図４】
2004235888.tif 000006
【図５】
2004235888.tif 000007
【図６】
2004235888.tif 000008
【図７】
2004235888.tif 000009
【図８】
2004235888.tif 000010
【図９】
2004235888.tif 000011
【図１０】
2004235888.tif 000012
【図１１】
2004235888.tif 000013
【図１２】
2004235888.tif 000014
【図１３】
2004235888.tif 000015
【図１４】
2004235888.tif 000016
【図１５】
2004235888.tif 000017
【図１６】
2004235888.tif 000018
【図１７】
2004235888.tif 000019
【図１８】
2004235888.tif 000020
【図１９】
2004235888.tif 000021